(57)【要約】【課題】本発明は、電子式でありながら、フラッシュプレートの１個用窓孔に嵌合するボス部を備えているとともにケース全体の１モジュールサイズ化を実現して、コンパクトなタイマ装置を提供する。【解決手段】本実施形態によれば、整流回路及び電解コンデンサを含むパワー系回路素子を備える負荷回路用電子スイッチ回路を有し、ボディ内に収納される第１の配線基板と、負荷回路用電子スイッチ回路の整流回路及び電解コンデンサからの制御電源が供給されて負荷回路用電子スイッチ回路のスイッチングを制御するタイマ制御回路を有し、カバー内に収納された第２の配線基板とを備えることで、コンパクトなタイマ装置となる。【選択図】図６
2005110313.tif 000002
【特許請求の範囲】
【請求項１】
上端に開口を備えたボディおよびボディの開口に覆合し一対の取付枠装着部を備えたカバーを含み、短方向の外形寸法が、規格化された取付枠の細長い取付孔の長手方向のほぼ１／３に形成されてなるケースと；
整流回路及び電解コンデンサを含むパワー系回路素子を備える負荷回路用電子スイッチ回路を有し、ボディ内に収納される第１の配線基板と；
負荷回路用電子スイッチ回路の整流回路及び電解コンデンサからの制御電源が供給されて負荷回路用電子スイッチ回路のスイッチングを制御するタイマ制御回路を有し、カバー内に収納された第２の配線基板と；
を具備していることを特徴とするタイマ装置。
【発明の詳細な説明】
【技術分野】
【０００１】
本発明は電子化されたタイマ装置に関する。
【背景技術】
【０００２】
主として家庭用の屋内配線においては、照明器具のオン、オフを操作するスイッチと、テレビジョン受像機、ラジオなどの固定形の負荷や電気掃除機などの移動形の負荷を電源に接続するためのコンセントとが最も数多く配設される。
【０００３】
しかし、その他にたとえば玄関の照明やトイレの換気扇などの負荷においては、オフ操作後一定時間後に負荷が自動的にオフするのが望ましい場合があり、このような負荷用として遅動スイッチも使用されている。また、負荷の使用目的に応じて遅延時間を、予め設定された範囲で、使用者が任意に都度設定できるように構成したタイマースイッチも使用されている。以下、本明細書においては、これらの遅動スイッチやタイマースイッチを包括的にタイマ装置と呼称する。
【０００４】
一方、屋内配線においては、壁面埋込形配線器具が一般的に採用されており、取付寸法やフラッシュプレートの窓孔寸法などが規格化されていて、原則として異なるメーカーの配線器具であっても互換性があるように構成されている。この場合、埋込用の個々の配線器具は、まず取付枠に取り付けられ、次に壁面に予め埋設された配線ボックス内で所要の配線を行ってから、取付枠を配線ボックスにねじ止めする。最後に、配線ボックスを覆い、かつ配線器具のボス部を前面に露出させてフラッシュプレートを取付枠に取り付けて、配線器具の施工が完了する。
【０００５】
規格化された取付枠は、最少単位の配線器具を３個連接して１個の配線ボックスに取り付けることができるように構成されている。この最少単位を１モジュールという。個々の配線器具は、１モジュール、１．５モジュール、２モジュールまたは３モジュールのいずれかのサイズになるように実際上標準化されている。そして、通常のスイッチや一口用のコンセントは１モジュールのサイズで構成されている。すなわち、配線器具の標準サイズは１モジュールである。
【０００６】
ところで、従来のタイマ装置においては、ぜんまいばねおよび時計機構を用いた機械式のものであった。このものは、殆どが１モジュールサイズに構成されている。このため、他の負荷用の一般のスイッチなどと任意に組み合わせて、最大３個の配線器具を１つの配線ボックスに取り付けることができるので、好評で多用されている。
【０００７】
また、浴室換気スイッチにおいては、一部電子式のものが見受けられるが、このものは照明スイッチ機能が付設されているとはいうものの、３モジュールサイズである。
【発明の開示】
【発明が解決しようとする課題】
【０００８】
従来の１モジュールサイズのタイマ装置は、機械式であるために、設定時間にばらつきを生じやすいとともに、長期間にわたる高い信頼性を得にくいという問題がある。
【０００９】
これに対して、電子式のタイマ装置は、その原理上上記の問題を克服しやすい利点がある。しかし、電子式のタイマ装置は、換気扇や照明器具の負荷電流をオン、オフできる所要の電流容量を確保しながら、装置をコンパクトなサイズにすることが回路の実装上困難で、１モジュールサイズにすることができなかった。
【００１０】
本発明は、電子式でありながら、フラッシュプレートの１個用窓孔に嵌合するボス部を備えているとともにケース全体の１モジュールサイズ化を実現して、コンパクトなタイマ装置を提供することを目的とする。
【課題を解決するための手段】
【００１１】
請求項１の発明のタイマ装置は、上端に開口を備えたボディおよびボディの開口に覆合し一対の取付枠装着部を備えたカバーを含み、短方向の外形寸法が、規格化された取付枠の細長い取付孔の長手方向のほぼ１／３に形成されてなるケースと；整流回路及び電解コンデンサを含むパワー系回路素子を備える負荷回路用電子スイッチ回路を有し、ボディ内に収納される第１の配線基板と；負荷回路用電子スイッチ回路の整流回路及び電解コンデンサからの制御電源が供給されて負荷回路用電子スイッチ回路のスイッチングを制御するタイマ制御回路を有し、カバー内に収納された第２の配線基板と；を具備していることを特徴としている。
【００１２】
本発明および以下の各発明において、特に指定しない限り用語の定義および技術的意味は次による。
【００１３】
＜ケースについて＞    ケースは、ボディは、上端に開口を備え、内部が中空で後述する負荷回路用電子スイッチ回路の第１の配線基板、端子金具などの部品または回路ブロックが収納される。また、端子金具に外部から電線を挿入するための電線挿入孔が形成される。
【００１４】
カバーは、上面意ボス部を備えることができ、このボス部の左右に一対の平坦な取付枠装着部を備えることができる。また、カバーは、その内部に後述するタイマ制御回路の第２の配線基板を収納する。「ボス部」とは、フラッシュプレートの窓孔にその裏面側から嵌合してフラッシュプレートの外面に露出するための突出した部分をいう。ボス部のフラッシュプレートの外面への露出は、フラッシュプレートの外面と面一またはいくらか突出した状態のいずれでもよい。フラッシュプレートの窓孔は、規格化されていて、１個用、２個用および３個用がある。１個用は、フラッシュプレートの中央に配置されていて、１個のボス部が露出できる。２個用は、フラッシュプレートの中央の上下に１個用の窓孔が２個離間して配置されていて、２個のボス部を露出できる。３個用は、上下に連続して１個の縦長の窓孔として形成されていて、３個のボス部が上下に連続して露出できる。
【００１５】
そうして、本発明においては、ボス部は、その外形がフラッシュプレートの１個用の窓孔に嵌合するサイズに形成されている。また、本発明においては、ケースすなわちボディおよびその開口に覆合するカバーが１モジュールサイズである。ボス部が上記のようにフラッシュプレートの１個用の窓孔に嵌合するサイズになると、その面積が狭いため、タイマ装置の視認性および操作性を良好に維持することが困難になるので、後述するように本発明が効果的である。
【００１６】
ケースのボディおよびカバーは、上記のように１モジュールサイズでなので、その短方向の外形寸法が、規格化された取付枠の細長い長手方向のほぼ１／３に形成される。なお、「ほぼ」というのは、ボス部以外のケースの部分が上記の１／３よりは幾分小さく形成されているものを許容する意味である。
【００１７】
次に、「取付枠装着部」とは、後述する規格化された取付枠にタイマ装置を取り付けるために機能する部分である。
【００１８】
ボディは、適当な手段によってカバーに固定されることにより、ケースが一体化して構成される。例えば、ボディにカバーを覆合してから、両者に跨ってバンド状で金属製の結合具を添設し、結合具を加締めてボディをカバーに固定することができる。また、カバーおよびボディのいずれか一方から係合脚を一体に形成し、他方に係合脚が係合する係止突起または段部を一体に形成して、ボディとカバーとを単に合わせるだけで係合脚を係止突起または段部に係止させて、両者を固定してもよい。さらに、両者の接合面を接着剤または超音波溶接などによって固着することができるし、ねじなどの固着具を用いて結合してもよい。
【００１９】
最後に、ケースの構成材料について言及すると、ケースは、合成樹脂のような絶縁性材料にて形成されていることが望ましいが、これは必須ではない。導電性材料からなる場合であっても、収納部品をケースに対して絶縁しておけばよい。
【００２０】
＜その他について＞    ケースのカバーの上面には、操作部を設けることができる。したがってフラッシュプレートから外部に露出し、使用者がタイマ動作を行わせる場合に操作する部分である。本発明においては、例えば、複数のタイマ動作時間から任意のタイマ動作時間を選択する第１の操作と、タイマ動作を開始させる第２の操作とを行うことができるように構成されていてもよい。
上記第１の操作と第２の操作を行う操作部は、単一の操作部であってもよいし、各別の操作部であってもよい。
【００２１】
また、操作部は、それが単一および複数のいずれであっても、回動、スライド揺動および押圧など既知の各種動作形態のいずれであってもよい。
【００２２】
さらに、操作部は、使用者による第１の操作により、後述する電子化タイマ回路が連動してタイマ動作時間が設定されてもよく、すなわち、予め用意された複数のタイマ動作時間の中から所望のタイマ動作時間が選択されたり、可変のタイマ動作時間範囲の中から適当なタイマ動作時間を設定するなどの選択が行われる。
【００２３】
複数のタイマ動作時間の一例としては、たとえば連続動作、相対的に短時間タイマ動作および相対的に長時間タイマ動作の組み合わせ、または相対的に短時間タイマ動作、相対的に中間時間タイマ動作および相対的に長時間タイマ動作などを設定することができる。
また、可変時間範囲としては、たとえば１００分以下、５時間以下または１０時間以下などに設定することができる。
【００２４】
さらに、操作部は、使用者による第２の操作により、タイマ動作を開始するために必要な後述する可変部品を連動させることもできる。第２の操作の開始と同時に負荷回路をオンするか、オフするかは設計上の問題であるとともに、使用者が切り換えできるように構成することもできる。
【００２５】
＜負荷回路用電子スイッチ回路について＞    負荷回路用電子スイッチ回路は、負荷回路のオン、オフする電子スイッチ回路をいう。また、負荷回路用電子スイッチ回路は、ケースのボディ内に収納され、整流回路及び電解コンデンサ含むパワー系回路素子が第１の配線基板に実装されていていて、例えば半導体スイッチ素子、雑音防止回路素子およびサージ吸収素子などを含み、ならびに端子金具などにより構成することができる。そして、その具体的回路構成は自由である。さらに、負荷回路用電子スイッチ回路の第１の配線基板は、その例えば主として下面にパワー系回路素子および端子金具が実装される。
【００２６】
端子金具は、必要に応じて自己鎖錠片を併用することにより、絶縁被覆を除去した電線を電線挿入孔からケース内へ挿入するだけで、自己鎖錠片が電線を端子金具に圧接して所要の接続を得られるように構成することができる。この場合に、さらにリリース釦を付設することにより、接続されている電線に当接している鎖錠片を強制的に電線から離間させて接続を解除することができるように構成することもできる。
【００２７】
上記のように、自己鎖錠片およびリリース釦を端子金具に付設する場合、ボディ内部の電線挿入孔の周囲に予め自己鎖錠片およびリリース釦を組み込み、その後電子化タイマ回路をボディに落とし込むことにより、同様に容易に組み立てることができる。また、場合によっては、端子金具内に予め自己鎖錠片およびリリース釦を組み付けてから、ボディに落とし込むようにしてもよい。端子金具の構造によっていずれか好都合の態様を選択すればよい。
【００２８】
＜タイマ制御回路について＞    タイマ制御回路は、例えば操作部の操作に連動する可変部材およびタイマ動作回路要素を含んで構成することができる。そして、その具体的回路構成は自由である。また、タイマ制御回路は、ケースのカバー内に収納される第２の配線基板を含み、この第２の配線基板に上下に分散して上記回路部品を実装することができる。さらに、タイマ制御回路は、負荷回路用電子スイッチ回路の整流回路及び電解コンデンサからの制御電源が供給されて負荷回路用電子スイッチ回路のスイッチングを制御する。
【００２９】
可変部材は、、タイマ制御回路を操作部の操作に連動させるためにそれぞれ用いられ、これらを第２の配線基板の上面に実装すれば、操作部との連動が容易になる。また、実装のバランスを図るために、タイマ動作回路要素などを第２の配線基板の下面に実装することができる。
【００３０】
さらにまた、第２の配線基板を第１の配線基板の上方に離間して固定することができる。この場合、第２の配線基板を離間するために、配線と無関係のスペーサを介在させてもよいし、第１の配線基板と第２の配線基板との間を接続するリード線を利用してもよい。
【００３１】
＜本発明の作用について＞    本発明のタイマ装置の一般的な使用態様としては、壁面埋込配線器具のように設置されて使用される。すなわち、本発明のタイマ装置をケースの一部を構成するカバーにある取付枠装着部を取付枠に装着し、必要な配線をしてから、壁面に埋設した配線ボックスなどにボックスねじを用いて取り付ける。
【００３２】
次に、フラッシュプレートを取付枠にプレートねじを用いて取り付ける。すると、タイマ装置のカバーの上面はフラッシュプレートの窓孔から露出する。
【００３３】
本発明のタイマ装置は、そのケース全体が１モジュールサイズなので、タイマ装置の他に通常の１モジュールサイズのスイッチなどの配線器具を最大２個まで併設することができる。フラッシュプレートの窓孔は、他の配線器具の併設の有無およびその個数に応じて１個用ないし３個用の中から適当なものを選択すればよい。本発明のタイマ装置を動作させるには、操作部を操作すればよい。
【００３４】
以上の操作により、負荷回路用電子スイッチ回路およびタイマ制御回路は、負荷回路を所定時間の間タイマ制御する。
【００３５】
本発明においては、タイマ装置のケースが上述のように１モジュールサイズなので、全体がコンパクトになる。
【００３６】
また、負荷回路用電子スイッチ回路およびタイマ制御回路を用いて電子化されているので、カバーないしボス部には必要に応じて操作部およびこれに付随する操作表示部、さらには動作表示部を配設するだけでよい。電気的な接続には自由度があるので、ボス部が１モジュールサイズに対応するフラッシュプレートの１個用の窓孔に嵌合する小さなものであっても、操作部のレイアウトが容易で、したがって操作性の良好なレイアウトを採用することができる。
【００３７】
さらに、電子化タイマ回路によりタイマ動作を行うので、回路の複雑化を伴わないで複数のタイマ動作時間を選択可能に構成することが極めて容易である。このため、小さなボス部であるにもかかわらず複数のタイマ動作時間を選択でき、多様な使い方ができる。
【００３８】
さらにまた、タイマ制御回路を電子化することにより、タイマ時間計時が正確で、また長時間のタイマ動作を行わせることも容易である。
【００３９】
請求項１記載のタイマ装置において、操作部を設け、この操作部を第１操作部および第２操作部とし、この第１操作部および第２操作部は、単一の操作部からなり、第１操作部の操作が単一の操作部の回動操作であり、第２操作部の操作が単一の操作部の押圧操作である；ように構成することができる。
【００４０】
本構成例においては、操作部が単一でありながら、これを第１操作部および第２操作部として兼ねるように構成したものである。このため、狭いボス部に第１操作部および第２操作部を無理なく配設することができる。好ましくは第１操作部によりタイマ動作時間を設定し、第２操作部によりタイマ動作を開始させる。
【００４１】
そうして、本構成例によれば、１モジュールサイズのボス部に第１操作部および第２操作部を単一の操作部が兼ねるので、無理なく配設することができ、しかも、操作が容易である。
【００４２】
請求項１記載のタイマ装置において、操作部を設け、この操作部を第１操作部および第２操作部とし、この第１操作部および第２操作部は、それぞれ異なる操作形態であるように構成されている；ように構成することができる。
【００４３】
本構成例においては、タイマ装置の第１操作部および第２操作部の操作形態を、例えば回動と押圧とのように異ならせることにより、ボス部がフラッシュプレートの規格化された１個用の窓孔に嵌合するために狭くても、操作が容易で、しかも、確実に操作することができる。また、ボス部が狭くても操作部の無理のないレイアウトが可能になる。さらに、
【００４４】
操作を分かりやすくしたりすることができる。
【００４５】
また、本構成例において、第１操作部および第２操作部の上記の例とは異なる他の操作形態における第１の構成例は、第１操作部がスライド操作部であり、第２操作部が押圧操作部である。
【００４６】
本構成例によれば、スライド操作部と押圧操作部を操作してタイマ動作時間の選択とタイマ動作開始とを行うので、操作が容易、かつ、正確に行える。また、ボス部が小さくても操作部のレイアウトが容易になる。
【００４７】
同じく上記とは異なる操作形態の第２の構成例は、第１操作部と、第２操作部とを各別に備えている。
【００４８】
本構成例によれば、第１操作部および第２操作部のそれぞれを各別に配設して専用の操作部になっているので、操作の容易性、かつ、確実性を一層向上させることができる。
【００４９】
なお、狭いボス部に第１操作部および第２操作部を各別に配設するので、各操作部の構成およびレイアウトには配慮することが好ましい。第１操作部は、通常の使用態様においては、使用目的に応じて最初にタイマ動作時間を設定すれば、その後は設定状態を都度変更する必要がないので、小さいスライド操作部を一方の側部に偏して配置しても不都合はない。これに対して、第２操作部は、タイマ動作の都度行うものであるから、押圧操作しやすいようになるべく大きくするのがよい。また、押圧操作部の構成として、ボス部の表面とほぼ面一のゴムシートを介して押圧するような防滴構造の押し釦スイッチを用いることができる。
【００５０】
請求項１記載のタイマ装置において、タイマ動作時間を、連続動作、相対的に短時間タイマ動作および相対的に長時間タイマ動作のいずれかを選択可能に構成することができる。
【００５１】
本構成においては、第１操作部の操作により、連続動作、短時間タイマ動作および長時間タイマ動作のいずれかを選択する。これを実現するためのタイマ制御回路の構成としては、例えば第一スイッチとして切換スイッチを設けて、第１操作部に連動して切換スイッチを切り換えるようにする。そして、切換スイッチに応動するようにマイコンまたはＩＣを配設して切換スイッチの切換位置に応じて所定のタイマ動作時間が設定されるようにすればよい。
【００５２】
また、タイマ動作時間を相対的に短時間および長時間を具体的にどの程度の時間に設定するかは、設計上の問題であるにすぎないが、例えば短時間と長時間とを表１にように設定することができる。
【表１】
2005110313.tif 000003
【００５３】
表１の設定例１は、例えば玄関の照明の制御に好適である。設定例２は、例えばトイレの換気扇の制御に好適である。また、設定例３ないし５は、浴室や部屋の換気扇の制御に使用できる。さらに、設定例６または７は、テレビジョン受像機などのおやすみタイマに使用することができる。
【００５４】
従来の機械的タイマ装置の場合には、ぜんまいばねなどの部品がタイマ動作時間によってそれぞれ異なるために、部品の共通化を図ることができなかった。
【００５５】
これに対して、本発明においては、電子化されたタイマ制御回路および負荷回路用電子スイッチ回路を用いているために、マイコン、ＩＣなどのプログラムを単に切り換えるだけで容易に、例えば表１の設定例１〜７のように種々の動作時間設定が可能になる。
【００５６】
以上のように、本構成においては、装置がコンパクトでありながら、多様なタイマ動作時間を選択できる。
【００５７】
請求項１記載のタイマ装置において、ボス部に配設されている単一の動作表示部を具備しているように構成することができる。
【００５８】
本構成においては、「動作表示部」とは、電源電圧の有無、タイマ動作時間の区別、タイマ動作時間の進行程度などタイマ装置の動作に関する表示を行う部分であればよく、上記に関するどのような内容を表示してもよい。
【００５９】
電源電圧の有無は、タイマ装置に電源電圧が印加されていることを表示し、したがって表示が行われていれば、タイマ動作が可能であることを意味する。
【００６０】
タイマ動作時間の区別は、タイマ装置のどのタイマ動作時間が選択されているかを表示する。
【００６１】
タイマ動作時間の残り時間は、タイマ動作中にあって、現在どの程度までタイマ動作時間が進行しているかを表示する。
【００６２】
そうして、本構成においては、動作表示部がボス部に配設されていることにより、前方および斜め方向から表示を確認しやすいので、動作表示部が比較的小さくても十分所要の表示効果を得ることができる。
【００６３】
また、動作表示部は、発光、音または色などによって表示することができ、その表示の態様を変化させることにより、動作表示部が単一であっても、複数内容の表示を行うことができる。
【００６４】
さらに、動作表示部は、単一であるから、規格化されたフラッシュプレートの１個用の窓孔に嵌合する大きさのボス部であっても、操作部とともに、無理なくボス部に配設することができる。
【００６５】
なお、ボス部を中空にして、内部にタイマ制御回路の一部を配置することにより、空間利用率を向上して、一層のコンパクト化を図ることができる。
【００６６】
また、動作表示を発光ダイオードなどの発光表示によって行う場合には、表示効果が大きいうえに、表示素子を小形化できるので、規格化されたフラッシュプレートの１個用の窓孔に嵌合するボス部を備えたタイマ装置において、ボス部がコンパクトさを維持しながら、所要の表示を行う場合に有意義である。
【００６７】
さらに、要すれば、３種類のタイマ動作時間を選択できるように構成する場合に、動作表示部を、タイマ動作時間に応じて少なくとも２種類以上の表示態様で動作表示が可能であるように構成することができる。３種類のタイマ動作時間としては、例えば連続動作、相対的に短時間タイマ動作および相対的に長時間タイマ動作の態様または相対的に短時間タイマ動作、相対的に中間時間タイマ動作および相対的に長時間タイマ動作などの組み合わせ例が挙げられる。なお、ここで相対的というのは、具体的な時間は必要に応じてマイコン、ＩＣなどのプログラムによって任意に設定することができるからである。また、動作表示部の表示態様が２種以上であるとは、例えば時間的に連続表示および断続表示、表示の強度が大きい表示および小さい表示、色の異なる表示などであることを許容する。なお、断続表示とは、時間的に表示の有無が連続的に繰り返される状態を意味するだけでなく、表示の強弱が連続的に繰り返される状態をも含む。例えば、動作時間が連続動作、時間が長短２種類のタイマ動作の３種類である場合に、連続動作時には、連続して表示し、長短のタイマ動作時にはいずれも同一の断続表示を行うことで表示態様が２種以上に含まれる。しかし、２種を超える数の表示態様を備えることが許容される。例えば、相対的に長時間のタイマ動作時には周期の長い断続表示を行い、相対的に短時間のタイマ動作時には周期の短い断続表示を行うことにより、どのようなタイマ動作を行っているかを容易に認識することができる。以上のように、動作表示部が単一であっても複数の動作表示態様を備えるので、動作表示態様に応じて少なくとも動作態様が何であるかが概ね分かる。
【００６８】
さらにまた、動作表示部は、タイマ動作時間終了の接近に伴って時間的変化が早くなるように構成することができる。タイマ動作時間終了の接近に伴って時間的変化が早くなる表示を行うに際して、タイマ動作時間終了の接近時間帯を予め設定し、当該時間帯になったときに時間的変化を早くするが、それ以前は時間的変化をさせない表示をすることができる。また、タイマ動作の初期からタイマ時限までの間、徐々に時間的変化を与える表示とすることもできる。本発明の実施に際しては、タイマ動作時間終了が接近すると、表示の時間的変化が早くなるから、まもなくタイマ動作時間終了の到来が接近したことを認識することができる。
【発明の効果】
【００６９】
請求項１の発明によれば、ケースがボス部を含めていわゆる１モジュールサイズに適合するサイズであり、全体がコンパクトであるタイマ装置を提供することができる。
【発明を実施するための最良の形態】
【００７０】
以下、本発明の実施の形態を図面を参照して説明する。
【００７１】
図１は、本発明のタイマ装置の第１の実施形態における回路構成を示す回路図である。
【００７２】
図において、Ｓは負荷回路用電子スイッチ回路、Ｔはタイマ制御回路である。
【００７３】
負荷回路用スイッチ回路Ｓについて負荷回路用電子スイッチ回路Ｓは、パワー系回路素子ｐおよび端子金具ｔからなる。パワー系回路素子ｐは、半導体スイッチ素子１、雑音防止回路素子２、サージ吸収素子３、全波整流回路４および電解コンデンサ５からなる。
【００７４】
半導体スイッチ素子１は、トライアック１ａおよびトライアック１ａのゲート極と一方の主電極との間に接続された抵抗器１ｂからなる。
【００７５】
雑音防止回路素子２は、インダクタ２ａおよびコンデンサ２ｂからなる。インダクタ２ａは、トライアック１ａと直列接並列接続されている。
【００７６】
コンデンサ２ｂは、トライアック２ａおよびインダクタ２ａの直列回路に対して並列に接続されている。
【００７７】
サージ吸収素子３は、コンデンサ２ｂと並列接続されている。
【００７８】
全波整流回路４は、トライアック２ａの他方の主極とゲート極との間に交流入力端子が接続され、直流出力端子４ａ、４ｂはタイマ制御回路Ｔに制御電源およびマイコン制御電源を供給する。
【００７９】
電解コンデンサ５は、その一端が全波整流回路４の直流出力端子の負極４ｂに接続され、他端がタイマ制御回路Ｔの後述するマイコンに対するマイコン制御電源の正極４ｃを構成している。
【００８０】
一方の端子金具ｔは、トライアック１ａおよびインダクタ２ａの直列回路、コンデンサ２ｂならびにサージ吸収素子３の各一端に接続している。他方の端子金具ｔは、トライアック１ａおよびインダクタ２ａの直列回路、コンデンサ２ｂならびにサージ吸収素子３の各他端に接続している。そして、両端子金具ｔ、ｔは負荷回路中に直列接続される。
以上説明した負荷回路用電子スイッチ回路Ｓは、後述する第１の配線基板に実装されることによって構成される。
【００８１】
タイマ制御回路Ｔについてタイマ制御回路Ｔは、制御電源入力端子６ａ、６ｂ、マイコン制御電源入力端子７、可変部品８、タイマ動作回路要素９、動作モード切換回路１０および表示回路１１からなる。
【００８２】
可変部品８は、押し釦スイッチ８ａおよび切換スイッチ８ｂからなる。
【００８３】
タイマ動作回路要素９は、マイコン９ａ、タイマ始動回路９ｂ、自己保持回路９ｃ、マイコン制御電源リセット回路９ｄおよびタイマプログラム選択回路９ｅからなる。
【００８４】
タイマ始動回路９ｂは、制御電源入力端子６ａ、６ｂ間に接続された抵抗器９ｂ１、押し釦スイッチ８ａ、ダイオード９ｂ２および定電圧ダイオード９ｂ３の直列回路、ダイオード９ｂ２および定電圧ダイオード９ｂ３の直列回路の両端間にベース抵抗器９ｂ４を介してベース・エミッタが接続されたトランジスタ９ｂ５、ベース・エミッタ間に接続された抵抗器９ｂ６、トランジスタ９ｂ５のコレクタおよびマイコン制御電源入力端子７の間に接続された抵抗器９ｂ７を備え、抵抗器とコレクタとの接続点をマイコン９ａのＲ８０端子に接続してなる。
【００８５】
自己保持回路９ｃは、制御電源入力端子６ａおよびマイコン９ａのＲ４０端子の間に限流抵抗器９ｃ１を介して接続したフォトカプラＰＣの発光ダイオードＰＣDと、制御電源入力端子６ａおよびマイコン制御電源入力端子の間に接続された発光ダイオードＰＣDに応動するフォトトランジスタＰＣTおよび抵抗器９ｃ２とからなる。
【００８６】
マイコン制御電源リセット回路９ｄは、トランジスタ９ｄ１のベースをベース抵抗器９ｄ２を介してマイコン９ａのＲ４１端子に接続し、ベース・エミッタ間を抵抗器９ｄ３を接続し、トランジスタ９ｄ１のコレクタ・エミッタをマイコン制御電源入力端子７および制御電源入力端子６ｂを介して電解コンデンサ５の両端間に接続してなる。
【００８７】
タイマプログラム選択回路９ｅは、ジャンパ端子ａ、ｂ、ｃおよびｄを備えてなる。ジャンパ端子ａは、抵抗器９ｅ１を介してマイコン制御電源入力端子７に接続している。ジャンパ端子ｂは、抵抗器９ｅ２を介してマイコン制御電源入力端子７に接続するとともに、マイコン９ａのＲ８１端子に接続している。ジャンパ端子ｃおよびｄは、制御電源入力端子６ｂに接続するとともに、コンデンサ９ｅ３を介してマイコン９ａのＸIN端子に、またさらに抵抗器９ｅ４を直列に介してマイコン９ａのＸOUT端子に接続に、それぞれ接続している。
【００８８】
動作モード切換回路１０は、切換スイッチ８ｂをマイコン９ａの該当端子に接続することにより構成されている。すなわち、切換スイッチ８ｂは、３個の切換接点ｅ、ｆ、ｇを備えていて、切換接点ｅをマイコン９ａのＲ５０端子に、切換接点ｆを、同じくＲ５１接点に、切換接点ｇを同じくＲ５２端子に、それぞれ接続してなる。
【００８９】
動作表示回路１１は、表示素子が発光ダイオード１１ａで、そのアノードをマイコン制御電源入力端子７に接続し、カソードをそれぞれ限流抵抗器１１ｂ、１１ｃを介してマイコン９ａのＲ４３端子およびＲ４２端子に接続してなる。
【００９０】
さらに、マイコン９ａのRESET端子がダイオード１２を介してマイコン制御電源入力端子７に、またコンデンサ１３を介して制御電源入力端子６ｂに、それぞれ接続している。
【００９１】
回路動作についてまず、動作モード切換回路１０について説明する。
【００９２】
本実施形態のタイマ装置は、可変部品８である切換スイッチ８ｂを切換接点ｅに切り換えると、連続通電動作のモードになる。また、切換接点ｆに切り換えると、相対的に短時間タイマ動作のモードになる。さらに、切換接点ｇに切り換えると、相対的に長時間タイマ動作のモードになる。短時間動作のモードおよび長時間動作のモードの絶対的な時間は、タイマプログラム切換回路９ｅにより選択することができる。
【００９３】
次に、タイマプログラム切換回路９ｅについて説明する。
【００９４】
タイマプログラム切換回路９ｅは、ジャンパ端子ａ、ｂ、ｃおよびｄを全て開放状態、ジャンパ端子ｂおよびｃの間を短絡状態、ジャンパ端子ａおよびｄの間を短絡状態、全てのジャンパ端子ａ〜ｄを短絡状態のいずれかを選択することにより、動作モード切換回路１０の切換接点ｅ、ｆ、ｇのいずれかの選択に応じて表２に示すようにそれぞれ時限を設定することができる。なお、タイマプログラム切り換えは、工場内における製造段階または使用段階のいずれにおいて選択可能にするかは設計の自由である。
【表２】
2005110313.tif 000004
【００９５】
そうして、負荷回路への通電開始前には全波整流回路４が開放されているから、１流出力端子４ａ、４ｂ間に全波整流された脈流の直流電圧が現れている。直流２力端子４ａ、４ｂはタイマ制御回路Ｔの制御電源端子６ａ、６ｂに直結している。
【００９６】
そこで、負荷回路に通電を開始するには、押し釦スイッチ８ａをオンさせる。これにより、抵抗器９ｂ１、押し釦スイッチ８ａおよびダイオード９ｂ２を介して定電圧ダイオード９ｂ３に制御電源から電流が流れ、これに伴い定電圧ダイオード９ｂ３の両端間に一定の電圧が現れる。そして、電解コンデンサ５は、定電圧によって充電される。電解コンデンサ５の端子電圧はマイコン９ａの所定の端子にマイコン駆動電源として印加されるので、マイコン９ａは動作を開始する。すなわち、全波整流回路４に通電するため、トライアック１ａのゲート極の電位が反対側の主電極の電圧に接近するので、ゲート電流が流れ、トライアック１ａはオンする。これにより、負荷に通電される。
【００９７】
上記と同時に、制御電源から抵抗器９ｂ１、押し釦スイッチ８ａおよびベース抵抗器９ｂ４を介してトランジスタ９ｂ５のベースにベース電流が流れてトランジスタ９ｂ５がオンする。これにより、マイコン９ａのＲ８０端子の電位が低下してマイコン９ａが動作を開始する。
【００９８】
マイコン９ａが動作すると、Ｒ４０端子の電位が低下する。このため、フォトカプラＰＣの発光ダイオードＰＣDが通電されて発光する。このため、フォトトランジスタＰＣTがオンする。
【００９９】
フォトトランジスタＰＣTがオンすると、今度は電解コンデンサ５がフォトトランジスタＰＣTおよび抵抗器９ｃ２を介して制御電源から充電される。すなわち、マイコン制御電源は、フォトカプラＰＣによる自己保持により、引き続きマイコン９ａに供給され、マイコン９ａは動作を継続して、予めプログラムにより設定されたタイマ動作を行う。
【０１００】
所定のタイマ動作時間が経過すると、マイコン９ａのＲ４１端子の電位が低下するため、トランジスタ９ｄ１がオンする。これにより、電解コンデンサ５は短絡されて、マイコン制御電源は電圧が０になるため、マイコン９ａは動作を停止するとともに、全波整流回路４は開放状態になり、したがってトライアック１ａは再びオフする。すなわち、タイマ動作時間が経過すると、負荷回路はオフされる。
【０１０１】
最後に、動作表示について説明する。
【０１０２】
切換スイッチ８ｂを切換接点ｅに切り換えて連続通電動作のモードになると、発光ダイオード１１ａはマイコン９ａの制御により、連続発光する。
【０１０３】
切換スイッチ８ｂを切換接点ｆに切り換えると、相対的に短時間タイマ動作のモードになるが、この場合発光ダイオード１１ａはマイコン９ａの制御により、断続発光する。
【０１０４】
切換スイッチ８ｂを切換接点ｇに切り換えると、相対的に長時間動作のモードになるが、この場合にも発光ダイオード１１ａは断続発光する。
【０１０５】
図２は、本発明のタイマ装置の第１の実施形態における正面図である。
【０１０６】
図３は、同じく左側面図である。
【０１０７】
図４は、同じく平面図である。
【０１０８】
図５は、同じく底面図である。
【０１０９】
図において、２１はケース、２２は操作部である。
【０１１０】
ケース２１は、ボディ２１ａ、カバー２１ｂおよび結合具２１ｃからなる。
【０１１１】
ボディ２１ａは、上端が開放された箱状をなし、内部が中央の回路部品収納室２１ａ１と、その両側に位置する端子収納室２１ａ２、２１ａ２に一対の隔壁２１ａ３、２１ａ３を介して区画され、また端子収納室２１ａ２の底面には電線挿入孔２ａ４およびリリース釦操作孔２１ａ５が形成されている。ボディ２１ａの外面には、係止段部２１ａ６が一体成形されている。
【０１１２】
カバー２１ｂは、ボディ２１ａの開放端に覆合され、中央にボス部２１ｂ１を、その両側に平坦な取付枠装着部２１ｂ２、２１ｂ２を、またボス部２１ｂ１には動作表示部２１ｂ３を、それぞれ備えている。なお、ボス部２１ｂ１は、内部が中空に形成されている。また、本実施形態においては、取付枠装着部２１ｂ２は、後述する結合具２１ｃと協働して取付枠に装着するように構成されている。
【０１１３】
結合部２１ｃは、金属板を打ち抜いてコ字状に形成され、さらに両足部２１ｃ１の先端に加締め部２１ｃ２を形成し、中間部に取付用耳部２１ｃ３および係合片２１ｃ４を形成している。そして、ボディ２１ａの開放端に覆合したカバー２１ｂの平坦部２１ｂ２に結合具２１ｃの中間部を跨座させて、両足部２１ｃ１をボディ２１ａに沿って垂下させ、係止段部２１ａ２に加締め部２１ｃ２を加締めてケース２１を一体化させている。係止用耳部２１ｃ３はボス部２１ｂ１の側面に当接し、係合片２１ｃ４がケース２１の両端面から突出させている。
【０１１４】
係止用耳部２１ｃ３および係合片２１ｃ４は、本実施形態のタイマ装置を取付枠（図示しない。）に装着する場合に、使用される。
【０１１５】
操作部２２は、ケース２１のボス部２１ｂ１の上面に配設され、回動操作および押圧動作をさせることができる。すなわち、タイマ動作時間を選択する第１の操作を操作部２２を回動することにより行い、タイマ動作を開始させる第２の操作を操作部２２の回動により行うように構成されている。タイマ動作時間は、本実施形態においては、連続通電、１時間通電および４時間通電のいずれかを選択できるようになっている。
【０１１６】
図６は、図５のVI−VI'線に沿う断面図である。
【０１１７】
図７は、本発明のタイマ装置の第１の実施形態におけるボディを示す平面図である。
【０１１８】
図８は、同じく自己鎖錠片およびリリース釦を組み込んだ状態におけるボディの平面図である。
【０１１９】
各図において、図２ないし図５と同一部分については同一符号を付して説明は省略する。
【０１２０】
ケース２１のボディ２１ａの内部には、中央に回路部品収納室２１ａ１とその両側に端子収納室２１ａ２、２１ａ２が一対の隔壁２１ａ３、２１ａ３区画されている。そして、端子収納室２１ａ２の底面には電線挿入孔２１ａ４およびリリース釦操作孔２ａ５が形成されている。
【０１２１】
２３は自己鎖錠片で、端子収納室２１ａ２の内部において、電線挿入孔２１ａ４に対向して収納される。自己鎖錠片２３は、ばね板を屈曲して図６に示すように一端に鎖錠部２３ａ、他端に押圧部２３ｂを、それぞれ形成してなる。
【０１２２】
２４はリリース釦で、同じくリリース釦操作孔２１ａ５に下端部が嵌合して収納される。リリース釦２４は、合成樹脂を成形して自己鎖錠片２３の鎖錠部２３ａを強制的に変位させて鎖錠状態を解除するカム部２４ａを両側に一体的に形成してなる。
【０１２３】
そうして、図６に示すように負荷回路用電子スイッチ回路Ｓをボディ２１ａ内に落とし込んで収容すると、端子金具ｔが枠形をなしているため、端子金具ｔ内に自己鎖錠片２３およびリリース釦２４が所定の位置関係に組み込まれる。
【０１２４】
図９は、本発明のタイマ装置の第１の実施形態におけるカバーを示す平面図である。
【０１２５】
図１０は、同じく操作部を組み込んだ状態におけるカバーの底面図である。
【０１２６】
図６にも示すように、カバー２１ｂのボス部２１ｂ１の外面には操作部２２に対応して凹溝２１ｂ４と、凹溝２１ｂ４の中心に位置する挿通孔２１ｂ５と、さらに凹溝２１ｂ３内に挿通孔２１ｂ５と同心の円弧状の回動規制溝２１ｂ６とが形成されている。
【０１２７】
さらに、ボス部２１ｂ１の内面には、後述する回転カムを節動させる節動ガイド部２１ｂ７が一体成形されている。
【０１２８】
図６に示すように、操作部２２と凹溝２１ｂ２との間にコイルスばね２５が介挿されて操作部２２を常時ボス部２１ｂ１から離反する方向へ偏位している。
【０１２９】
また、操作部２２の回動軸２２ａの先端には、ボス部２１ｂ１の内面側において回転カム２２ｃがセルフタッピングねじ２２ｄによって操作部２２と一緒に回動するように固定されている。
【０１３０】
回転カム２２ｃは、円盤の一部を切除して弾接部２２ｃ１を形成し、弾接部２２ｃ１と対向する位置に長孔２２ｃ２を形成し、さらにカバー２１ｂの回動規制溝２１ｂ６に係合するピン２２ｃ３を形成している。
【０１３１】
弾接部２２ｃ１がカバー２１ｂに形成した節動ガイド部２１ｂ７に当接しながら操作部２２が回動することにより、操作部２２は所定の回動角ごとに節動する。
【０１３２】
長孔２２ｃ２に後述する可変部品が係合することにより、操作部２２を回動することにより、可変部品８を操作できる。また、操作部２２をコイルばね２５の弾力に抗して押圧することにより、操作部２２がカバー２１ｂの凹溝２１ｂ４内に沈み込むため、回転カム２２ｃも連動して沈み込み可変部品８を操作できる。
【０１３３】
図１１は、本発明のタイマ装置の第１の実施形態における電子化タイマ回路を示す平面図である。
【０１３４】
図１２は、同じく底面図である。
【０１３５】
図１３は、同じく側面図である。
【０１３６】
各図において、図１と同一部分には同一符号を付して説明は省略する。以下、図６をも参照して電子化タイマ回路について説明する。
【０１３７】
電子化タイマ回路は、負荷回路用電子スイッチ回路Ｓ、タイマ制御回路Ｔからなる。
【０１３８】
負荷回路用電子スイッチ回路Ｓは、パワー系回路素子ｐおよび端子金具ｔに加えて第１の配線基板２６を備えている。
【０１３９】
第１の配線基板２６は、ボディ２１ａの開放端を塞ぐように位置し、その下面中央ににパワー系回路素子ｐおよび両端に端子金具ｔ、ｔを実装している。
【０１４０】
パワー系回路素子ｐは、図１２に示すように、トライアック１、雑音防止回路素子２としてのインダクタ２ａおよびコンデンサ２ｂ、サージ吸収素子３、全波整流回路４ならびに電解コンデンサ５からなり、回路部品収納室２１ａ１内に収納されている。
【０１４１】
端子金具ｔは、図１２に示すように、枠状に形成され、第１の配線基板２６への接続片ｔａを第１の配線基板２６の両端部に形成した切欠部２６ａから上面に突出させてはんだ２６ｂにより配線基板のランドに接続することにより、第の配線基板２６の下面に実装されている。そして、端子金具ｔは、端子収納室２１ａ２内に収納されている。
【０１４２】
タイマ制御回路Ｔは、可変部品８、タイマ動作回路要素９および発光ダイオード１１ａに加えて第２の配線基板２７を備えている。
【０１４３】
第２の配線基板２７は、第１の配線基板２６に、その上方に離間した状態で固定されている。また、第２の配線基板２７は、図６に示すように、カバー２１ｂのボス部２１ｂ１内に配設されている。
【０１４４】
可変部品８は、押し釦スイッチ８ａおよび切換スイッチ８ｂからなり、第２の配線基板２７の上面に実装されている。
【０１４５】
押し釦スイッチ８ａは、図６に示すように、回転カム２２ｃを介して操作部２２を押圧した際にオンし、操作部２２の押圧を止めると、オフ状態になる。
【０１４６】
切換スイッチ８ｂは、上面から突出している摘み８ｂ１を直線的に変位させることにより、その可動接点が図１における固定接点ｅ、ｆ、ｇのいずれかに選択的に接触して回路を切り換えることにより、タイマ装置の動作モードを切り換えることができるように構成されている。
【０１４７】
タイマ動作回路要素９は、図１において説明したように、マイコン、タイマ始動回路、自己保持回路、マイコン制御電源リセット回路およびタイマプログラム選択回路を含んでいるが、第２の配線基板２７の下面および上面に分散して実装されている。しかし、マイコンは第２の配線基板２７の下面に実装されている。図１３に示すように、第１の配線基板２６と第２の配線基板２７に実装されているタイマ動作回路要素９との間にはポリエステルシートなどの絶縁シートが介在されている。
【０１４８】
図１４は、本発明のタイマ装置の第１の実施形態を取付枠に通常のスイッチとともに、装着した状態を示す正面図である。
【０１４９】
図において、２８は取付枠、２９はタイマ装置、３０、３１は通常のスイッチである。
タイマ装置２９は、そのケースの短方向の外形寸法が規格化された取付枠２８の後述する細長い取付孔の長手方向のほぼ１／３に構成されている。また、通常のスイッチも同様に構成されている。
【０１５０】
図１５は、取付枠の正面図である。
【０１５１】
取付枠２８は、中央に細長い取付孔２８ａ、取付孔２８ａの一側に配線器具の取付用耳部を係止する係止孔２８ｂ、同じく他側に取付用耳部を着脱可能に係止する変位係止部２８ｃ、さらに両端部に配線ボックスへの取付孔２８ｄとプレートねじ孔２８ｅを備えている。
【０１５２】
タイマ装置２９を取付枠２８に装着するには、ケース２１の結合具２１ｃの片側の係止用耳部２１ｃ４を取付枠２８の係止孔２８ｂに取付枠２８の裏側から挿入してから、反対側の係止用耳部２１ｃ４を変位係止部２８ｃに押し付ける。そうすると、変位係止部２８ｃが外側へ変位して変位係止部２８ｃに係止されることにより、タイマ装置２９は取付枠２８に装着される。以上の作業は通常のスイッチ２９、３０を装着する場合と同じである。
【０１５３】
タイマ装置などを装着した取付枠２８を配線ボックスに取り付けるには、取付孔２８ｄにボックスねじを挿通して配線ボックスにねじ込む。挿通孔２８ｄは長孔に形成されているので、壁面に対して配線ボックスが多少傾いて埋設されていていも、取付枠２８を垂直に取り付けることができる。
【０１５４】
図１６は、フラッシュプレートの化粧板の正面図である。
【０１５５】
図１７は、同じくアダプターの正面図である。
【０１５６】
図において、フラッシュプレートは、化粧板３２およびアダプター３３からなる。
【０１５７】
化粧板３２は、中央に細長い３個用の窓孔３２ａを備えている。タイマ装置２８のボス部２１ｂ１は、窓孔３２ａから面一に露出する。化粧板３２の背面には、取付足（図示しない。）が複数突設されていて、アダプター３３に着脱自在に構成されている。
【０１５８】
アダプター３３は、壁面と化粧板３２との間に介在する。また、アダプター３３は、枠状をなしていて、上下方向の両端部にプレートねじ挿通孔３３ａを形成するとともに、化粧板３２の取付足を係止する取付足係止孔３３ｂを複数備えている。
【０１５９】
そして、プレートねじ挿通孔孔３３ａにプレートねじ（図示しない。）を装着して、さらにプレートねじを取付枠２８のプレートねじ孔２８ｅにねじ込むことにより、アダプター３３を取付枠２８に取り付けることができる。
【０１６０】
最後に、化粧板３２をその窓孔３２ａがタイマ装置２９およびスイッチ３０、３１の各ボス部に嵌合するように合わせてアダプター３３に押し付けると、化粧板３２の背面から突出した取付足がアダプター３３の取付足係止孔に係止することにより、化粧板３２が取り付けられる。
【０１６１】
図１８は、本発明のタイマ装置の第１の実施形態における第１の動作表示態様を示す波形図である。
【０１６２】
図１９は、同じく第２の動作表示態様を示す波形図である。
【０１６３】
各図において、横軸は時間を、縦軸は明るさを、いずれも任意値としてそれぞれ示す。
【０１６４】
第１の動作表示態様は、連続通電動作のモードおける表示として用いているもので、連続発光による表示を行う。
【０１６５】
第２の動作表示態様は、タイマ動作のモードにおける表示として用いているもので、断続発光による表示を行う。
【０１６６】
図２０は、本発明のタイマ装置の第２の実施形態における第２の動作表示態様を示す波形図である。
【０１６７】
本実施形態においては、タイマ動作のモード時に断続発光表示を行う点において一実施形態と同様であるが、さらにタイマ動作時間終了が接近するに伴ってと、徐々に断続発光の周期が短くなり、そのために、使用者はその接近の程度を表示によって認識することができる。
【０１６８】
図２１は、本発明のタイマ装置の第３の実施形態を示す平面図である。
【０１６９】
図２２は、同じく正面図である。
【０１７０】
図２３は、同じく側面図である。
【０１７１】
図２４は、同じく底面図である。
【０１７２】
図２５は、図２４のXXV−XXV'線に沿う電子化タイマ回路を一部省略して示す断面図である。
【０１７３】
図２６は、ボディを省略して示す側面断面図である。
【０１７４】
図２７は、同じく取付枠に２個のスイッチとともに装着した状態を示す正面図である。
【０１７５】
図２８は、同じく２個のスイッチとともに壁面に埋設した状態を示す正面図である。
【０１７６】
各図において、図２ないし図６と同一部分には同一符号を付して説明は省略する。
【０１７７】
本実施形態は、主としてケース２１、操作部２２および操作表示部３３が異なる。
【０１７８】
ケース２１についてケース２１は、結合部２１ｃ’がカバー２１ｂと一体に合成樹脂で形成されている。
【０１７９】
ボディ２１ａの回路部品収納室２１ａ１の両側に配置されている一対の端子収納室２１ａ２の両側面には、斜面付係止段部２１ａ６’が一体に形成されている。
【０１８０】
カバー２１ｂには、ボディ２１ａの斜面付係止段部２１ａ６’に対向する位置に係合脚２１ｃ１’が一体に形成されている。係合脚２１ｃ１’には、係合窓２１ｃ５が形成されている。
【０１８１】
そうして、カバー２１ｂをボディ２１ａに位置を合わせて嵌合させると、係合脚２１ｃ１’の先端が斜面付係止段部２１ａ６’の斜面に当接する。さらに、カバー２１ｂをボディ２１ａに押し当てると、係合脚２１ｃ１’が斜面付係止段部２１ａ６’の斜面に沿って移動しながら弾性に抗して変形し、やがて斜面付係止段部２１ａ６’を乗り越えると、係合脚２１ｃ１’は弾性により元の位置に戻り、そのときの係合窓２１ｃ５は斜面付係止段部２１ａ６’に係合してボディ２１ａとカバー２１ｂとが結合され、ケース２１が形成される。
【０１８２】
カバー２１ｂの内側には、斜面付係止段部２１ａ６’に対向し、かつボディ２１ａの内面に当接する位置に端子金具押さえ突片２１ｂ４が一体成形により形成されている。この端子金具押さえ突片２１ｂ４は、ボディ２１ａを係合脚２１ｃ１’と端子金具押さえ突片２１ｂ４とで挟持する。このため、ボディ２１ａおよびカバー２１ｂの間に強い捻り力が作用してもボディ２１ａとカバー２１ｂとの結合が不本意に解除されることはなくなる。また、端子金具押さえ突片２１ｂ４は、端子金具ｔの上端を押さえて上方への不所望な移動を阻止するためのものであるが、上述の作用に加えてボディ２１ａに対するカバー２１ｂの覆合の際の位置決めの作用をも行う。
【０１８３】
さらに、カバー２１ｂの内面には、ボディ２１ａの両側面に対向する一対の端子金具押さえ突片２１ｂ４の中間にも端子金具押さえ突片２１ｂ４が一体成形されている。
【０１８４】
操作部２２について操作部２２は、第１の操作として回動操作を許容し、第２の操作として押圧操作を許容している点では第１の実施形態と同様であるが、そのサイズおよびレイアウトが大きく相違している。
【０１８５】
すなわち、操作部２２をボス部２１ｂ１の上下方向のサイズになるべく近い大きさとし、右側に偏位させている。
【０１８６】
なお、周囲にローレット２２ａを形成して指が滑りにくいようにしているとともに、指示突起２２ｂを形成してタイマ動作時間（連続、４時間および１時間）の選択を分かりやすくしている。
【０１８７】
操作表示部３３について操作部２２に対面して操作表示部３３を配設している。この操作表示部３３は、ボス部２１ｂ１の左側に偏位して配設されているので、ボス部２１ｂ１が小さくてもなるべく大きくして見やすくなっている。右側に操作部２２を配置し、左側に操作表示部３３を配置したことにより、特に右手で操作部２２を操作することにより、操作表示部３３が一層見やすくなる。
【０１８８】
なお、操作表示部３３を粘着シールに表示文字を印刷し、さらにその表面を透明シートで被覆したものからなり、所定場所に貼着している。
【０１８９】
その他の構成について動作表示部２１ｂ３は、カバー２１ｂの一部に成形時に透孔を形成し、ケース２１の内部に透孔に対向させて電源電圧の印加状態で発光する発光ダイオード（図示しない。）を配置し、操作表示部３３の一部に透孔を形成して透明シートのみが残っているいる部分をカバー２１ｂの透孔に重ねることにより、発光ダイオードの発光をカバー２１ｂの外側に導出するとともに、カバー２１ｂの透孔を防滴構造にすることができる。
【０１９０】
また、図２５および図２６に示すように、可変部品は、スライドスイッチ８ａおよび押し釦スイッチ８ｂからなる。スライドスイッチ８ａは、操作部２２の第１の操作である回動操作によりタイマ動作時間を切り換える。また、押し釦スイッチ８ｂは、第２の操作である操作部２２の押圧操作によりタイマ動作を開始する。
【０１９１】
図２９は、本発明のタイマ装置の第４の実施形態を示す斜視図である。
【０１９２】
図３０は、同じく側面図である。
【０１９３】
各図において、図２ないし図６と同一部分には同一符号を付して説明は省略している。
【０１９４】
本実施形態は、主として操作部２２Aが異なる。
【０１９５】
すなわち、操作部２２Aは、第１の操作をスライド操作により行い、第２の操作を押圧操作により行うように構成されている。
【０１９６】
また、カバー２１ｂのボス部２１ｂ１および操作部２２Aの前面を上下方向に突曲させて外観を優美にしている。
【０１９７】
図３１は、本発明のタイマ装置の第５の実施形態を示す斜視図である。
【０１９８】
図において、図２９と同一部分には同一符号を付して説明は省略している。
【０１９９】
本実施形態は、第４に実施形態と近似しているが、ボス部２１ｂ１の前面は平坦で、操作部２２Aのスライド範囲を少し凹陥させている。
【０２００】
図３２は、本発明のタイマ装置の第６の実施形態を示す斜視図である。
【０２０１】
図において、図２ないし図６と同一部分には同一符号を付して説明は省略している。
【０２０２】
本実施形態は、操作部を第１の操作部２２Bおよび第２の操作部２２Cにより構成している。
【０２０３】
すなわち、第１の操作部２２Bは、スライド操作により第１の操作を行う。第１の操作部２２Bは、上下方向にスライド操作され、ボス部２１ｂ１の左側に偏位した位置に配設されている。
【０２０４】
第２の操作部２２Cは、押圧操作により第２の操作を行う。第２の操作部２２Cは、表面がボス部２１ｂ１と同一面にあり、ゴム膜で防滴構造にされている。内部に押し釦スイッチが配設されている。
【０２０５】
図３３は、本発明のタイマ装置の第７の実施形態を示す斜視図である。
【０２０６】
図において、図３２と同一部分には同一符号を付して説明は省略する。
【０２０７】
本実施形態は、第１の操作部２２B’が回動操作により第１の操作を行う点で異なる。
【０２０８】
すなわち、第１の操作部２２B’は、回動体の一部をボス部２１ｂ１の表面から露出させ、指の腹を押し当てて回動操作を行うように構成されている。
【０２０９】
図３４は、本発明のタイマ装置の第８の実施形態を示す斜視図である。
【０２１０】
図において、図３２と同一部分には同一符号を付して説明は省略する。
【０２１１】
【０２１２】
本実施形態は、第１の操作部２２B”が複数の押し釦スイッチによって構成されている。また、この押し釦スイッチはオン状態で発光表示を行うように構成されている。
【０２１３】
すなわち、第１の操作は、選択しようとするタイマ動作時間を割り当てられた押し釦スイッチを押圧して作動させる。
【０２１４】
図３５は、本発明のタイマ装置の第９の実施形態を示す平面図である。
【０２１５】
図において、図２３と同一部分には同一符号を付して説明は省略している。
【０２１６】
本実施形態は、ボディおよびカバー２１ｂ’がそれぞれ１モジュールサイズの１．５倍すなわち１．５モジュールサイズに形成されているが、ボス部２１ｂ１は１モジュールサイズに対応する規格化されたフラッシュプレートの１個用の窓孔に嵌合するサイズに形成されている。
【０２１７】
図３６は、本発明のタイマ装置の第１０の実施形態を示す平面図である。
【０２１８】
図において、図２と同一部分には同一符号を付して説明は省略している。
【０２１９】
本実施形態は、ボディおよびカバー２１ｂ”がそれぞれ１モジュールサイズの２倍すなわち２モジュールサイズに形成されているが、ボス部２１ｂ１は１モジュールサイズに対応する規格化されたフラッシュプレートの１個用の窓孔に嵌合するサイズに形成されている。
【図面の簡単な説明】
【０２２０】
【図１】本発明のタイマ装置の第１の実施形態における回路構成を示す回路図
【図２】本発明のタイマ装置の第１の実施形態における正面図
【図３】同じく左側面図
【図４】同じく平面図
【図５】同じく底面図
【図６】図５のVI−VI'線に沿う断面図
【図７】本発明のタイマ装置の第１の実施形態におけるボディを示す平面図
【図８】同じく自己鎖錠片およびリリース釦をを組み込んだ状態におけるボディの平面図
【図９】本発明のタイマ装置の第１の実施形態におけるカバーを示す平面図
【図１０】同じく操作部を組み込んだ状態におけるカバーの底面図
【図１１】本発明のタイマ装置の第１の実施形態における電子化タイマ回路の実装状態を示す平面図
【図１２】同じく底面図
【図１３】同じく側面図
【図１４】本発明のタイマ装置の第１の実施形態を取付枠に通常のスイッチとともに装着した状態を示す正面図
【図１５】取付枠の正面図
【図１６】フラッシュプレートの化粧板の正面図
【図１７】同じくアダプターの正面図
【図１８】本発明のタイマ装置の第１の実施形態における第１の動作表示態様を示す波形図
【図１９】同じく第２の動作表示態様を示す波形図
【図２０】本発明のタイマ装置の第２の実施形態における第２の動作表示態様を示す波形図
【図２１】本発明のタイマ装置の第３の実施形態を示す平面図
【図２２】同じく正面図
【図２３】同じく側面図
【図２４】同じく底面図
【図２５】図２４のXXV−XXV'線に沿う電子化タイマ回路を一部省略して示す断面図
【図２６】同じくボディを省略して示す側面断面図
【図２７】同じく取付枠に２個のスイッチとともに装着した状態を示す正面図
【図２８】同じく２個のスイッチとともに壁面に埋設した状態を示す正面図
【図２９】本発明のタイマ装置の第４の実施形態を示す斜視図
【図３０】同じく側面図
【図３１】本発明のタイマ装置の第５の実施形態を示す斜視図
【図３２】本発明のタイマ装置の第６の実施形態を示す斜視図
【図３３】本発明のタイマ装置の第７の実施形態を示す斜視図
【図３４】本発明のタイマ装置の第８の実施形態を示す斜視図
【図３５】本発明のタイマ装置の第９の実施形態を示す平面図
【図３６】本発明のタイマ装置の第１０の実施形態を示す平面図
【符号の説明】
【０２２１】
８…可変部品
９…タイマ動作回路要素
２１…ケース
２１ａ…ボディ
２１ａ１…回路部品収納室
２１ａ２…端子収納室
２１ａ３…隔壁
２１ａ４…電線挿入孔
２１ａ５…リリース釦操作孔
２１ｂ…カバー
２１ｂ１…ボス部
２１ｂ２…平坦部
２１ｂ４…凹溝
２１ｂ５…挿通孔
２１ｂ７…節動ガイド部
２１ｃ…結合具
２２…操作部
２２ｃ…回転カム
２３…自己鎖錠片
２３ａ…鎖錠部
２３ｂ…押圧部
２４…リリース釦
２５…コイルばね
２６…第１の配線基板
２７…第２の配線基板
ｐ…パワー系回路素子
Ｓ…負荷回路用電子スイッチ回路
Ｔ…タイマ制御回路
ｔ…端子金具
【図１】
2005110313.tif 000005
【図２】
2005110313.tif 000006
【図３】
2005110313.tif 000007
【図４】
2005110313.tif 000008
【図５】
2005110313.tif 000009
【図６】
2005110313.tif 000010
【図７】
2005110313.tif 000011
【図８】
2005110313.tif 000012
【図９】
2005110313.tif 000013
【図１０】
2005110313.tif 000014
【図１１】
2005110313.tif 000015
【図１２】
2005110313.tif 000016
【図１３】
2005110313.tif 000017
【図１４】
2005110313.tif 000018
【図１５】
2005110313.tif 000019
【図１６】
2005110313.tif 000020
【図１７】
2005110313.tif 000021
【図１８】
2005110313.tif 000022
【図１９】
2005110313.tif 000023
【図２０】
2005110313.tif 000024
【図２１】
2005110313.tif 000025
【図２２】
2005110313.tif 000026
【図２３】
2005110313.tif 000027
【図２４】
2005110313.tif 000028
【図２５】
2005110313.tif 000029
【図２６】
2005110313.tif 000030
【図２７】
2005110313.tif 000031
【図２８】
2005110313.tif 000032
【図２９】
2005110313.tif 000033
【図３０】
2005110313.tif 000034
【図３１】
2005110313.tif 000035
【図３２】
2005110313.tif 000036
【図３３】
2005110313.tif 000037
【図３４】
2005110313.tif 000038
【図３５】
2005110313.tif 000039
【図３６】
2005110313.tif 000040